(57)【要約】【課題】  施錠装置の鉤部材が掛止される掛止部材を縦板に対して容易に位置調整することができる遊技機の外枠を提供する。【解決手段】  縦板４には、上下方向に延出するレール４ａが設けられ、そのレール４ａに掛止部材７が上下方向に位置調整可能に取付けられている。そしてレール４ａと掛止部材７との間には、掛止部材７を位置調整する際に掛止部材７がレール４ａに対して傾動することを規制する傾動規制機構（７ｄなど）が設けられている。【選択図】        図３
2006296840.tif 000002
【特許請求の範囲】
【請求項１】
左右の縦板と、左右の縦板の上端部間に取付けられる天板と、左右の縦板の下端部間に取付けられる地板とを有し、左右一側寄りに前枠が回動可能に取付けられ、左右他側寄りに前記前枠に設けられる施錠装置の鉤部材が掛止される掛止部材が取付けられる遊技機の外枠であって、
前記他側寄りの縦板には、上下方向に延出するレールが設けられ、そのレールに前記掛止部材が上下方向に位置調整可能に取付けられ、
前記レールと前記掛止部材との間には、前記掛止部材を位置調整する際に前記掛止部材が前記レールに対して傾動することを規制する傾動規制機構が設けられていることを特徴とする遊技機の外枠。
【請求項２】
請求項１に記載の遊技機の外枠であって、
レールを備える縦板は、アルミニウム製であって、
前記レールは、前記縦板の上下全長に渡って延出し、かつ前記縦板を補強する構成になっていることを特徴とする遊技機の外枠。
【請求項３】
請求項１または２に記載の遊技機の外枠であって、
掛止部材をレールに対して解除可能に位置保持する保持機構と、前記保持機構を解除した際に前記掛止部材の前記レールからの脱落を防止する脱落防止機構とを別々に有していることを特徴とする遊技機の外枠。
【発明の詳細な説明】
【技術分野】
【０００１】
本発明は、遊技島に取付けられるパチンコ機やスロットマシンなどの遊技機の外枠に関する。
【背景技術】
【０００２】
従来、様々な外枠が知られており、例えば特許文献１に記載のパチンコ機の外枠が知られている。
特許文献１にかかる外枠は、矩形状に組付けられており、左寄りに前枠が回動可能に取付けられている。前枠には、施錠装置が取付けられており、施錠装置の鉤部材が掛止される掛止部材が外枠の右の縦板に取付けられている。そして掛止部材は、縦板との間に設けられた位置調整機構によって縦板に対し位置調整可能に取付けられている。
位置調整機構は、例えば特許文献１の図３に示すように、縦板に設けられた縦溝と掛止部材に設けられた横溝を有している。そして縦溝と横溝にねじの足部が貫通され、ねじの足部先端にナットが取付けられる。したがってナットを緩めることで掛止部材を縦溝と横溝に沿って上下方向と前後方向に位置調整できる。そしてナットを締めることで掛止部材を縦板に対し位置保持することができる。
特許文献１の図６にかかる位置調整機構は、縦板に数多くのねじ孔を有し、掛止部材に四つのねじ孔を有している。したがって掛止部材の四つのねじ孔を縦板の任意のねじ孔に合わせることによって掛止部材を任意の位置に取付けることができる。
そのため機種変更などによって施錠装置の鉤部材の位置が変わった場合でも外枠は、掛止部材を位置調整することで対応し得る。
【特許文献１】特開２００２−５２２１８号公報
【発明の開示】
【発明が解決しようとする課題】
【０００３】
しかし特許文献１の図６にかかる位置調整機構は、掛止部材の位置調整の際に掛止部材をいちいち縦板から取外す必要がある。そのため掛止部材を位置調整する際の作業が煩雑になっていた。
特許文献１の図３にかかる位置調整機構は、掛止部材を縦板に対してスライドさせながら位置調整できるものの、掛止部材は、位置調整の際に外枠に対して傾いてしまう。そのため掛止部材の傾きを調整しつつ掛止部材を縦板に対して位置保持する必要があった。そのため掛止部材を位置調整する際の作業が煩雑になっていた。
そこで本発明は、施錠装置の鉤部材が掛止される掛止部材を縦板に対して容易に位置調整することができる遊技機の外枠を提供することを課題とする。
【課題を解決するための手段】
【０００４】
前記課題を解決するために本発明は、各請求項に記載の通りの構成を備える遊技機の外枠であることを特徴とする。
請求項１に記載の発明によると、縦板には、上下方向に延出するレールが設けられ、そのレールに掛止部材が上下方向に位置調整可能に取付けられている。そしてレールと掛止部材との間には、掛止部材を位置調整する際に掛止部材がレールに対して傾動することを規制する傾動規制機構が設けられている。
例えば、図３，４に示すように掛止部材７は、複数のねじ７ｆからなる傾動規制機構、または複数のガイド部７ｃからなる傾動規制機構、または複数の傾動規制片７ｄからなる傾動規制機構によってレール４ａに対して傾動することが規制されている。
したがって掛止部材は、レールに沿って上下方向に位置調整され、かつ傾動規制機構によって位置調整の際にレールに対して傾動量が規制される。そのため掛止部材は、傾き量を気にすることなくレールに対して位置保持され得る。したがって掛止部材を縦板に対して容易に位置調整することができる。
【０００５】
請求項２に記載の発明によると、レールを備える縦板は、アルミニウム製であって、レールは、縦板の上下全長に渡って延出し、かつ縦板を補強する構成になっている。
したがって縦板は、レールによって強度補強されている。
【０００６】
請求項３に記載の発明によると、掛止部材をレールに対して解除可能に位置保持する保持機構（７ｅ，７ｆ）と、保持機構を解除した際に掛止部材のレールからの脱落を防止する脱落防止機構（７ｃ）とを別々に有している。
したがって保持機構を解除しても、掛止部材がレールから脱落しない。そのため掛止部材をレールに対して容易に位置調整することができる。
【発明の効果】
【０００７】
本発明によると、施錠装置の鉤部材が掛止される掛止部材を縦板に対して容易に位置調整することができる。
【発明を実施するための最良の形態】
【０００８】
本発明の実施の形態を図１〜５にしたがって説明する。
パチンコ機（遊技機）は、図１に示すように遊技島に固定される矩形状の外枠１と、外枠１に回動可能に取付けられる前枠１０を有している。
外枠１は、図１，２に示すようにアルミニウム製の左右の縦板３，４、天板２、地板５および幕板６を有している。
天板２は、左右の縦板３，４の上端部間にコーナー部材１１，１３を介して取付けられる。地板５は、左右の縦板３，４の下端部間にコーナー部材１２，１４を介して取付けられる。幕板６は、縦板３，４の下端部の前面に金具を介して取付けられる。
【０００９】
外枠１の一側寄り（左寄り）には、図１，２に示すように前枠１０を回動可能に支持する一対の支持部１１ａ，１５ａが設けられている。
支持部１５ａは、図２に示すように左の縦板３に取付けられた金具１５に形成されており、図１に示すように前枠１０の下端部を回動可能に支持する。
支持部１１ａは、図２に示すように天板２に取付けられたコーナー部材１１に形成されており、図１に示すように前枠１０の上端部を回動可能に支持する。
【００１０】
前枠１０は、図１に示すように中央に開口部１０ａを有しており、図示省略の遊技盤、各種の機構装置、部品類が取付けられる。そして前枠１０の一側寄り（図１の左側寄り）には、施錠装置１６が取付けられている。
施錠装置１６は、本体部１６ｂと、一対の鉤部材１６ａ，１６ａと、連結杆１６ｃを有している。
本体部１６ｂは、前枠１０の一端に沿って上下方向に延出している。
鉤部材１６ａ，１６ａは、本体部１６ｂの上下二箇所に傾動可能に取付けられている。
【００１１】
連結杆１６ｃは、一対の鉤部材１６ａ，１６ａを連結し、図示省略の付勢部材によって下方向に付勢されている。したがって鉤部材１６ａ，１６ａは、付勢部材によって傾動方向一方向に付勢されている。
また連結杆１６ｃは、施錠装置１６に挿入した鍵を回すことで付勢部材に抗して上方向に移動する。そのため鉤部材１６ａ，１６ａは、鍵を回すことで付勢部材に抗して傾動する。
【００１２】
右の縦板４には、図１に示すようにレール４ａが設けられており、レール４ａに一対の掛止部材７，７が取付けられている。
レール４ａは、図３に示すようにアルミニウム製の縦板４に一体成形されている。そしてレール４ａは、一対の突片４ａ１，４ａ２を有し、一対の突片４ａ１，４ａ２間に縦溝４ａ３を有している。
突片４ａ１，４ａ２は、断面略Ｌ字状であって、縦板４の内側面（左側面）から突出し、突片４ａ１，４ａ２の先端部同士が近接する方向に延出している。また突片４ａ１，４ａ２は、図２に示すように縦板４の上下全長に渡って延出しており、縦板４を補強するリブにもなっている。
【００１３】
掛止部材７は、図３，４に示すように本体部７ａと保持部７ｅと一対のねじ７ｆを有している。
本体部７ａは、図４に示すように遊技者側から観て、レール４ａの左側に配設される部材であって、鉤受部７ｂと一対のガイド部７ｃと一対の傾動規制片７ｄを一体に有している。以降、遊技者側から観た右、左を単に右、左という。
鉤受部７ｂは、本体部７ａの手前縁の中央部から左側に折り返して左側に突出している。そして鉤受部７ｂの下端縁に図１に示す鉤部材１６ａが下側から掛止される。
【００１４】
一対のガイド部７ｃ，７ｃは、図４に示すように本体部７ａの上下両端縁から折り返して右側に張出している。ガイド部７ｃは、本体部７ａから延出する足部７ｃ１と、足部７ｃ１の先端から前後方向（幅方向）に張出す抜止部７ｃ２を有している。
足部７ｃ１は、レール４ａの縦溝４ａ３の上端あるいは下端から縦溝４ａ３に挿通される。抜止部７ｃ２は、レール４ａの裏面側（図４右側面）に張出して、掛止部材７がレール４ａから左方向に脱落することを防止する（脱落防止機構）。
【００１５】
一対のガイド部７ｃ，７ｃは、図３に示すように掛止部材７をレール４ａに対して上下に位置調整する際に、掛止部材７がレール４ａに対してＸ軸周りに傾動（前後方向に傾動）することを規制する（第一の傾動規制機構）。
しかも一対のガイド部７ｃ，７ｃは、掛止部材７がレール４ａに対してＹ軸周りに傾動（左右方向に傾動）することも規制する（第二の傾動規制機構）。
【００１６】
一対の傾動規制片７ｄ，７ｄは、図３に示すように本体部７ａの手前側縁の上部あるいは下部から右側に折り返して右側に張出している。
傾動規制片７ｄは、図５に示すように掛止部材７をレール４ａに沿って移動させた際に、レール４ａの手前面に沿いながら移動する。したがって傾動規制片７ｄは、図３に示すように掛止部材７の位置調整時に、ガイド部７ｃと協働して掛止部材７がＸ軸周りに傾動（前後方向に傾動）することを規制する（第三の傾動規制機構）。
【００１７】
本体部７ａは、図４に示すように一対の挿通孔７ａ１を有している。保持部７ｅは、一対のめねじ部７ｅ１を有している。
ねじ７ｆは、足部と頭部とを有し、足部が本体部７ａの挿通孔７ａ１に挿通され、保持部７ｅのめねじ部７ｅ１に羅合される。したがって本体部７ａと保持部７ｅがねじ７ｆによって一体にされている。そして保持部７ｅがレール４ａ内に差込まれ、本体部７ａがレール４ａの左側に配設される。そのため掛止部材７は、ねじ７ｆを締めることによってレール４ａに対して位置保持される（保持機構）。
また掛止部材７は、図３に示すように位置調整される際に、ねじ７ｆと傾動規制片７ｄとによってＺ軸周りに傾動（左右方向に傾動）することも規制されている（第四の傾動規制機構）。
【００１８】
以上のようにして外枠１が形成されている。
すなわち縦板４には、図３に示すように上下方向に延出するレール４ａが設けられ、そのレール４ａに掛止部材７が上下方向に位置調整可能に取付けられている。そしてレール４ａと掛止部材７との間には、掛止部材７を位置調整する際に掛止部材７がレール４ａに対して傾動することを規制する傾動規制機構（７ｃ，７ｄ，７ｆ）が設けられている。例えば第一、第二、第三、第四の傾動規制機構が設けられている。
したがって掛止部材７は、レール４ａに沿って上下方向に位置調整される。そして掛止部材７は、傾動規制機構によって位置調整の際にレール４ａに対して傾動量が規制される。そのため掛止部材７は、傾き量を気にすることなくレール４ａに対して位置保持され得る。したがって掛止部材７を縦板４に対して容易に位置調整することができる。
【００１９】
またレール４ａを備える縦板４は、アルミニウム製であって、レール４ａは、図１に示すように縦板４の上下全長に渡って延出し、かつ縦板４を補強する構成になっている。
【００２０】
また外枠１は、図３，４に示すように掛止部材７をレール４ａに対して解除可能に位置保持する保持機構（７ｅ，７ｆ）と、保持機構を解除した際に掛止部材７のレール４ａからの脱落を防止する脱落防止機構（７ｃ）とを別々に有している。
したがって保持機構を解除しても、掛止部材７がレール４ａから脱落しない。そのため掛止部材７をレール４ａに対して容易に位置調整することができる。
【００２１】
（他の実施の形態）
本発明は、上記の実施の形態に限定されず、以下の形態であってもよい。
（１）すなわち上記の実施の形態にかかる掛止部材７は、図３，４に示すように複数のねじ７ｆと、複数のガイド部７ｃと、複数の傾動規制片７ｄを有していた。そして掛止部材７とレール４ａの間には、複数のねじ７ｆを有する傾動規制機構と、複数のガイド部７ｃを有する傾動規制機構と、複数の傾動規制片７ｄを有する傾動規制機構が設けられていた。
しかし掛止部材が傾動規制片７ｄを有さない形態、もしくは傾動規制片７ｄを一つのみ有する形態であっても良い。
（２）あるいは掛止部材がガイド部７ｃを有さない形態、もしくはガイド部７ｃを一つのみ有する形態であっても良い。
（３）あるいは掛止部材がガイド部７ｃと傾動規制片７ｄの両方を有さない形態であっても良い。
（４）あるいは掛止部材がねじ７ｆを一つのみ有する形態であっても良い。
（５）あるいは掛止部材が（１）〜（４）の組み合わせからなる形態であって、少なくともねじ７ｆ一つと、ガイド部７ｃ一つを有する形態であっても良い。そして傾動規制機構が一つのねじ７ｆと一つのガイド部７ｃとによって構成される形態であっても良い。
【図面の簡単な説明】
【００２２】
【図１】外枠に前枠を取付けた状態における外枠の前側からの斜視図である。
【図２】外枠の後側からの斜視図である。
【図３】掛止部材近傍の外枠の前側からの拡大斜視図である。
【図４】掛止部材の構成部品とレールの一部の斜視図である。
【図５】図３のＡ−Ａ線断面矢視図である。
【符号の説明】
【００２３】
１…外枠
２…天板
３，４…縦板
４ａ…レール
４ａ１，４ａ２…突片
４ａ３…縦溝
５…地板
６…幕板
７…掛止部材
７ａ…本体部
７ｂ…鉤受部
７ｃ…ガイド部（傾動規制機構、脱落防止機構）
７ｄ…傾動規制片（傾動規制機構）
７ｅ…保持部（保持機構）
７ｆ…ねじ（傾動規制機構、保持機構）
１０…前枠
１６…施錠装置
１６ａ…鉤部材
【図１】
2006296840.tif 000003
【図２】
2006296840.tif 000004
【図３】
2006296840.tif 000005
【図４】
2006296840.tif 000006
【図５】
2006296840.tif 000007